(57)【特許請求の範囲】
【請求項１】
録画設定された番組の放送信号を受信する受信手段と、
前記受信手段で受信する前記放送信号をデジタル映像および音声の番組データに変換する処理手段と、
前記受信手段で受信する前記放送信号から取得したコピー制御情報を記録する記録手段と、
前記処理手段で変換された前記番組データを指定された記録装置に暗号化して記録する録画制御手段と、
前記記録手段に記録されている前記コピー制御情報を暗号化して前記指定された記録装置に記録し、前記指定された記録装置に記録した後に前記記録手段に記録されていた前記コピー制御情報を削除するメモリ制御手段と、
を有することを特徴とするデジタル放送受信記録再生装置。
【請求項２】
前記記録手段は、前記コピー制御情報を記録するための記憶領域を登録されている記録装置ごとに割り当てていることを特徴とする請求項１記載のデジタル放送受信記録再生装置。
【請求項３】
前記メモリ制御手段は、前記受信手段で受信する前記放送信号からコピー制御情報を取得し、前記登録されている記録装置の中から、予め前記録画設定された番組を記録する機器として指定された記録装置に対応する前記記録手段上の前記記憶領域に前記コピー制御情報を記録することを特徴とする請求項２記載のデジタル放送受信記録再生装置。
【請求項４】
前記メモリ制御手段は、前記録画設定された番組の前記コピー制御情報の取得中に、以前より厳しい条件の前記コピー制御情報を取得した場合、前記記録手段に記録されている前記コピー制御情報を前記取得した厳しい条件の前記コピー制御情報に更新して、前記指定された記録装置に対応する前記記憶領域に記録することを特徴とする請求項３記載のデジタル放送受信記録再生装置。
【請求項５】
前記メモリ制御手段は、前記録画設定された番組の録画が終了した後に前記記録手段に記録されている前記コピー制御情報を記録し、前記記録手段に記録されている前記コピー制御情報を削除することを特徴とする請求項４記載のデジタル放送受信記録再生装置。
【請求項６】
前記記録手段は、前記登録されている記録装置の登録時又は前記登録されている記録装置の登録解除時に、前記登録されている記録装置に割り当てる前記記憶領域を初期化することを特徴とする請求項２記載のデジタル放送受信記録再生装置。
【請求項７】
前記メモリ制御手段は、前記録画設定された番組の前記コピー制御情報の取得中に、以前と異なる条件の前記コピー制御情報を取得した場合、前記記録手段に記録されている前記コピー制御情報および前記取得した異なる条件の前記コピー制御情報を前記指定された記録装置に記録することを特徴とする請求項３記載のデジタル放送受信記録再生装置。
【請求項８】
前記メモリ制御手段は、前記コピー制御情報の変化位置を含めて記録することを特徴とする請求項４または７記載のデジタル放送受信記録再生装置。
【請求項９】
前記メモリ制御手段は、前記取得した異なる条件の前記コピー制御情報を追加して前記指定された記録装置に記録する場合、前記指定された記録装置に記録されている前記コピー制御情報に対する暗号化とは異なる暗号化によって前記指定された記録装置に記録されている前記コピー制御情報全体を暗号化することを特徴とする請求項７記載のデジタル放送受信記録再生装置。
【請求項１０】
前記録画設定された番組の録画が途中で終了した場合、前記メモリ制御手段は、前記指定され記録装置に対応する前記記録手段上の前記記憶領域に前記コピー制御情報が記録されているか否かを判断し、前記コピー制御情報が記録されている場合は、前記指定され記録装置に記録されている前記コピー制御情報と照合し、前記指定され記録装置に記録されていない場合は、前記記録手段上の前記記憶領域に記録されている前記コピー制御情報を前記指定され記録装置に記録することを特徴とする請求項４または７に記載のデジタル放送受信記録再生装置。
【請求項１１】
録画設定された番組の放送信号を受信し、
受信した前記放送信号をデジタル映像および音声の番組データに変換し、
受信した前記放送信号から取得したコピー制御情報を記録手段に記録し、
前記番組データを指定された記録装置に暗号化して記録し、
前記記録手段に記録した前記コピー制御情報を暗号化して前記指定された記録装置に記録した後に、前記記録手段に記録されていた前記コピー制御情報を削除する、
ことを特徴とするデジタル放送受信記録再生方法。
【発明の詳細な説明】
【技術分野】
【０００１】
この発明は、デジタル放送受信記録再生装置及びデジタル放送受信記録再生方法に関するもので、コピー制限が課されるデジタル放送の記録・再生に関する。
【背景技術】
【０００２】
近年、ハードディスクなどの情報記録装置は、その記憶容量が増大している。このために、これらの情報記録装置を例えばデジタル放送受信記録再生装置に接続し、所望の番組を記録媒体に自動録画する方法及び装置がある。
【０００３】
また、近年デジタル放送の受信可能なテレビジョン受信機普及に伴い、放送メディアによってはダビング10（Copy 9回＋Move1回）の運用が予定され、Copy One Generationとダビング10の番組の混在運用が検討されている。
【０００４】
そして、従来の録画方式では、情報記録装置への番組の録画終了時に、コピー制御情報を情報記録装置上に記録している。
【０００５】
特許文献１には、ＨＤＤ部に画像データを録画するＰＲＶ部のサブマイコンは、電力供給されるとフラグがセットされたままで前回の録画動作中に停電してフラグをリセットすることができなかったか否かを判定する。録画中の停電があった場合は、サブマイコンは、ＨＤＤ部から録画中断したファイルを検索し、画像ファイルをクローズする。そして、録画予約時間に残りがあれば、録画動作を継続する録画再生装置についての構成が開示されている。
【０００６】
特許文献２には、録画動作中に停止キーが操作された場合、記憶回路に継続して映像音声情報を記憶し、所定時間以内に再度録画キーが操作された場合には、記憶した情報の録画を開始するため、途切れることなく録画することができる録画再生装置についての構成が開示されている。
【特許文献１】特開２００４−１２０３６５公報
【特許文献２】特開２００６−３３３３２公報
【発明の開示】
【発明が解決しようとする課題】
【０００７】
しかし、特許文献１および特許文献２に記載の録画再生装置では、録画動作中に録画が中断する事態が起きた時に、録画が中断した間の分も含めて録画を再開しているが、いずれの場合も、デジタル放送におけるコピー制御情報の対策はなんらなされていない。
【０００８】
つまり、コピー制御情報のＨＤＤへの記録のタイミングおよび取り扱いなどについては、記載されていない。また、情報記録装置への番組の録画が電源切断等で異常終了した場合に、本来のコピー情報が失われてしまうという問題の解決手段についても記載されていない。
【０００９】
本来のコピー制御情報がない場合には、No More Copy 扱いと判断しても、デジタル放送が実質、１世代のみコピーは許すが回数は制限するCopy one Generationで運用されていたので問題なかった。ダビング10またはCopy One Generationとダビング10の混在した番組では、ダビング10の番組の録画が異常終了すると本来9回Copyできるはずの番組がCopyできない番組として扱われることになる。
【００１０】
そこでこの発明では、情報記録装置への番組の録画中に不具合が生じた場合で合っても、コピー制御情報を修復できるデジタル放送受信記録再生装置及びデジタル放送受信記録再生方法を提供することにある。
【課題を解決するための手段】
【００１１】
この発明の一実施の形態のデジタル放送受信記録再生装置は、録画設定された番組の放送信号を受信する受信手段と、前記受信手段で受信する前記放送信号をデジタル映像および音声の番組データに変換する処理手段と、前記受信手段で受信する前記放送信号から取得したコピー制御情報を記録する記録手段と、前記処理手段で変換された前記番組データを指定された記録装置に暗号化して記録する録画制御手段と、前記記録手段に記録されている前記コピー制御情報を暗号化して前記指定された記録装置に記録し、前記指定された記録装置に記録した後に前記記録手段に記録されていた前記コピー制御情報を削除するメモリ制御手段とを有する。
【００１２】
また、この発明の一実施の形態のデジタル放送受信記録再生方法は、録画設定された番組の放送信号を受信し、受信した前記放送信号をデジタル映像および音声の番組データに変換し、受信した前記放送信号から取得したコピー制御情報を記録し、前記番組データを指定された記録装置に暗号化して記録し、記録した前記コピー制御情報を暗号化して前記指定された記録装置に記録し、前記指定された記録装置に記録した後に、記録されていた前記コピー制御情報を削除する。
【発明の効果】
【００１３】
これにより、情報記録装置への番組の記録時に、記録が異常終了した場合でも、デジタル放送受信記録再生装置の記録手段に記録したコピー制御情報に基づいて、情報記録装置へ記録する番組のコピー制御情報を修復することができる。
【００１４】
また、情報記録装置への番組の記録時に、番組のコピー制御情報の変更がある度に情報記録装置へコピー制御情報を書き込むことで、記録が異常終了した場合でも、番組が記録された箇所までのコピー制御情報を保持することができる。
【発明を実施するための最良の形態】
【００１５】
以下、図面を参照しながらこの発明の実施の形態を説明する。まずこの発明が適用された放送受信装置について概要を説明する。
【００１６】
図１は、この実施の形態で説明するデジタル放送受信記録再生装置１１の外観と、このデジタル放送受信記録再生装置１１を中心として構成されるネットワークシステムの一例を概略的に示している。図２は、デジタル放送受信記録再生装置１１の概観を示している。
【００１７】
デジタル放送受信記録再生装置１１は、薄型のキャビネット１２と、このキャビネット１２を起立させて支持する支持台１３とから構成されている。キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１８】
また、このデジタル放送受信記録再生装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１９】
さらに、このデジタル放送受信記録再生装置１１には、例えば契約情報等の記録された第２のメモリカード（ＩＣカード）２０が着脱可能となっており、この第２のメモリカード２０に対して情報の記録再生が行なわれるようになっている。
【００２０】
また、このデジタル放送受信記録再生装置１１は、第１のＬＡＮ（Local Area Network）端子２１、第２のＬＡＮ端子２２、ＵＳＢ（Universal Serial Bus）端子２３及びｉ．Link端子２４を備えている。
【００２１】
このうち、第１のＬＡＮ端子２１は、ＬＡＮ対応ＨＤＤ専用ポートとして使用される。この第１のＬＡＮ端子２１に、例えばハブ２５を介して接続されたＮＡＳ（Network Attached Storage）であるＬＡＮ対応の第１のＨＤＤ７０、第２のＨＤＤ７１に対して、イーサネット（登録商標）により情報の記録再生を行なうために使用される。
【００２２】
このように、ＬＡＮ対応ＨＤＤ専用ポートとしての第１のＬＡＮ端子２１を設けることにより、他のネットワーク環境やネットワーク使用状況等に影響されることなく、第１のＨＤＤ７０または第２のＨＤＤ７１に対してハイビジョン画質による番組の情報記録を安定して行なうことが可能となる。
【００２３】
また、第２のＬＡＮ端子２２は、イーサネットを用いた一般的なＬＡＮ対応ポートとして使用される。この第２のＬＡＮ端子２２は、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２４】
なお、ＤＶＤレコーダ２９については、第２のＬＡＮ端子２２を介して通信されるデジタル情報が制御系の情報であるため、デジタル放送受信記録再生装置１１との間でアナログの映像及び音声情報を伝送するために、専用のアナログ伝送路３０を設ける必要がある。
【００２５】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２６】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２７】
上記ｉ．Link（登録商標）端子２４は、例えばＡＶ−ＨＤＤ４１、Ｄ（Digital）−ＶＨＳ（Video Home System）４２等をシリアル接続し、これらの機器と情報伝送を行なうために使用される。
【００２８】
ここでｉ．Link端子２４に接続された、ＡＶ−ＨＤＤ４１は、図面ではデジタル放送受信記録再生装置１１の外に記載されているが、支持台１３に内蔵されていてもよい。つまりＡＶ−ＨＤＤ４１は、デジタル放送受信記録再生装置１１と一体となっていてもよい。
【００２９】
図３は、上記したデジタル放送受信記録再生装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００３０】
チューナ４５で選局された放送信号は、ＰＳＫ（Phase Shift Keying）復調器４６に供給されて、デジタルの映像信号及び音声信号に復調された後、信号処理部４７に出力される。
【００３１】
また地上波アナログ信号を受信するアナログチューナ６８も設けられている。アナログチューナ６８で受信された信号は、アナログ復調器６９で復調され信号処理部４７に出力される。
【００３２】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００３３】
チューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３４】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３５】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３６】
グラフィック処理部５２から出力されたデジタルの映像信号は、映像処理部５５に供給される。この映像処理部５５は、入力されたデジタルの映像信号を、映像表示器１４で表示可能なフォーマットの映像信号に変換し、映像表示器１４に出力して映像表示させる。
【００３７】
上記音声処理部５３は、入力されたデジタルの音声信号を、スピーカ１５で再生可能なフォーマットのアナログ音声信号に変換し、スピーカ１５に出力して音声再生させる。
【００３８】
ここで、このデジタル放送受信記録再生装置１１は、上記した各種の受信動作を含むその全ての動作を制御部５６によって統括的に制御されている。
【００３９】
制御部５６は、ＣＰＵ（Central Processing Unit）等を内蔵している。操作部１６からの操作情報を受けたとき、または、リモートコントローラ１７から送出された操作情報を受光部１８を介して受信したとき、制御部５６は、その操作内容が装置に反映されるように各部をそれぞれ制御している。
【００４０】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００４１】
制御部５６は、カードＩ／Ｆ（Interface）６０を介して、第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００４２】
制御部５６は、カードＩ／Ｆ６２を介して、第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００４３】
制御部５６は、通信Ｉ／Ｆ６４を介して第１のＬＡＮ端子２１に接続されている。これにより、制御部５６は、ハブ２５を介して第１のＬＡＮ端子２１に接続されたＬＡＮ対応の第１のＨＤＤ７０および第２のＨＤＤ７１と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応の第１のＨＤＤ７０および第２のＨＤＤ７１にＩＰ（Internet Protocol）アドレスを割り当てて制御している。
【００４４】
制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４５】
制御部５６は、ＵＳＢ Ｉ／Ｆ６６を介してＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４６】
上記制御部５６は、ｉ．Link（登録商標） Ｉ／Ｆ６７を介してｉ．Link（登録商標）端子２４に接続されている。これにより、制御部５６は、ｉ．Link（登録商標）端子２４に接続された各機器（図１参照）と、ｉ．Link（登録商標）Ｉ／Ｆ６７を介して情報伝送を行なうことができる。
【００４７】
制御部５６は、メモリ制御部５６ａ、録画制御部５６ｂ、コピー制御情報暗復号部５６ｃを有している。メモリ制御部５６ａは、不揮発性メモリ５９に対して書き込み等を行う。録画制御部５６ｂは、例えば第１のＨＤＤ７０などに番組を暗号化して録画する。コピー制御情報暗復号部５６ｃは、さらにコピー制御情報を暗号化する鍵を生成する鍵生成部５６ｄとコピー制御情報を暗号化または復号する暗号復号処理部５６ｅを有する。この特徴部については、さらに後述する。
【００４８】
図４は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、リンクキー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。また今すぐニュースキー１７ｑ、ちょっとタイムキー１７ｑ、スキップキー１７ｒも設けられている。
【００４９】
図５は、本発明の実施形態であるデジタル放送記録再生装置１１による第１のＨＤＤ７０への番組の録画について説明する図である。
【００５０】
はじめに第１の実施例について説明する。メモリ制御部５６ａは、デジタル放送記録再生装置１１に接続される記録装置（例えば第１のＨＤＤ７０または第２のＨＤＤ７１）について登録または登録の削除を管理する。例えば、デジタル放送記録再生装置１１では、記録装置として６台まで登録できるとする。ここで、第１のＨＤＤ７０または第２のＨＤＤ７１がデジタル放送記録再生装置１１に登録されているとする。
【００５１】
メモリ制御部５６ａは、不揮発性メモリ５９に登録された第１のＨＤＤ７０または第２のＨＤＤ７１にそれぞれ対応した領域を設ける。登録された記録装置の登録削除がユーザによって入力されると、メモリ制御部５６ａは、不揮発性メモリ５９に登録された記録装置に対応する領域を削除する。
【００５２】
図６は、デジタル放送受信記録再生装置１１への記録装置の登録する場合のフローチャートである。ここでは、例として、第１のＨＤＤ７０を登録する場合について説明する。
【００５３】
はじめに、メモリ制御部５６ａは、ＨＤＤ７０の登録がユーザによって入力されると、不揮発性メモリ５９に第１のＨＤＤ７０が登録された旨を記録する（ステップＳ１００）。そして、メモリ制御部５６ａは、第１のＨＤＤ７０に対応するコピー制御情報エリアを初期化して不揮発性メモリ５９に設定する（ステップＳ１０１）。
【００５４】
図７は、デジタル放送受信記録再生装置１１への記録装置の登録を解除する場合のフローチャートである。ここでは、例として、第１のＨＤＤ７０を登録する場合について説明する。
【００５５】
はじめに、メモリ制御部５６ａは、ＨＤＤ７０の登録解除がユーザによって入力されると、不揮発性メモリ５９に第１のＨＤＤ７０が登録解除された旨を記録する（ステップＳ２００）。そして、メモリ制御部５６ａは、不揮発性メモリ５９から第１のＨＤＤ７０に対応するコピー制御情報エリアを初期化して削除する（ステップＳ２０１）。
【００５６】
第１のＨＤＤ７０または第２のＨＤＤ７１を不揮発性メモリ５９に登録することで、登録されていない記録装置には番組の録画等ができなくなるため、セキュリティの向上が図れる。
【００５７】
ここでは、第１のＨＤＤ７０または第２のＨＤＤ７１がデジタル放送記録再生装置１１に登録され、不揮発性メモリ５９に第１のＨＤＤ７０または第２のＨＤＤ７１にそれぞれ対応した領域が設けられている例について説明する。
【００５８】
はじめに、ユーザが、第１のＨＤＤ７０に番組を録画するようにリモートコントローラ１７によって設定する。録画設定は、番組指定であっても時間区切りによるものであってもよい。
【００５９】
図８は、録画設定に基づいて、第１のＨＤＤ７０に番組を録画する場合を示したフローチャートである。
【００６０】
ユーザによる録画設定に基づいて、信号処理部４７は、チューナ５０で選局された放送信号からＯＦＤＭ復調器５１を介してデジタルの映像信号及び音声信号を取得する。そして、録画制御部５６ｂは、録画する記録装置として設定されている第１のＨＤＤ７０に対して、番組を暗号化して録画を開始する。
【００６１】
メモリ制御部５６ａは、チューナ５０で選局された放送信号からコピー制御情報を取得する（ステップＳ３００）。そして、メモリ制御部５６ａは、コピー制御情報１を当該番組を記録する記録装置として設定されている第１のＨＤＤ７０に対応する不揮発性メモリ５９のエリア（記憶領域）に記録する。
【００６２】
次に、メモリ制御部５６ａは、録画中の番組の放送信号から取得したコピー制御情報が録画中に変更があったか否かを判断する（ステップＳ３０１）。
【００６３】
変更があった場合は（ステップＳ３０１、ＹＥＳ）、メモリ制御部５６ａは、記録されているコピー制御情報１よりも厳しい条件か否かを判断する（ステップＳ３０２）。厳しい条件とは、例えば、一つの録画単位において録画開始から途中まではダビング10であり、途中からCopy one Generationに変わった場合は、厳しい条件に変わった場合といえる。録画開始から途中まではCopy one Generationであり、途中からダビング10に変わった場合は、厳しい条件に変わった場合とはいえない。
【００６４】
厳しい条件であれば（ステップＳ３０２、ＹＥＳ）、メモリ制御部５６ａは、厳しい条件であるコピー制御情報を代表値であるコピー制御情報１として更新する（ステップＳ３０３）。つまり、コピー制御情報１は、録画設定された録画単位に一つの代表値とし、録画単位の中でもっとも厳しいコピー制御情報が代表値となる。そして、メモリ制御部５６ａは、不揮発性メモリ５９の第１のＨＤＤ７０に対応したエリアに、更新したコピー制御情報１を記録する（ステップＳ３０４）。ここで、メモリ制御部５６ａは、更新したコピー制御情報１として番組の録画時のコピー制御情報が変化した変化位置を含めた値とすることもできる。例えば、一つの録画単位において、録画開始から途中まではダビング10であり、途中からCopy one Generationに変わった場合は、コピー制御情報が変わった位置情報もコピー制御情報１に含ませることになる。
【００６５】
次に、メモリ制御部５６ａは、録画設定された番組の録画が終了したか否かを判断する（ステップＳ３０５）。録画が終了していなければ（ステップＳ３０５）、ステップＳ３００に戻る。番組の録画が異常終了したときでも、コピー制御情報１は、異常終了するまでの間であって録画単位の中でもっとも厳しいコピー制御情報となる。
【００６６】
録画が終了した場合は（ステップＳ３０５、ＹＥＳ）、図９に示すように、コピー制御情報暗復号部５６ｃは、鍵生成部５６ｄでコピー制御情報１を暗号化する鍵を生成し、暗号復号処理部５６ｅで不揮発性メモリ５９の第１のＨＤＤ７０に対応したエリアに記録されているコピー制御情報１を暗号化して第１のＨＤＤ７０に記録する（ステップＳ３０６）。
【００６７】
そして、第１のＨＤＤ７０への録画が正常に終了したため、メモリ制御部５６ａは、第１のＨＤＤ７０に対応したエリアに記録されているコピー制御情報１を削除する（ステップＳ３０７）。
【００６８】
上記処理によって、図５に示すように第１のＨＤＤ７０には暗号化された番組データと暗号化されたコピー制御情報１０が記録されることになる。また、ユーザによって、第２のＨＤＤ７１に番組を録画する録画設定がなされた場合も上記同様である。つまり、メモリ制御部５６ａは、チューナ５０で選局された放送信号からコピー制御情報を取得すると、図５に示すようにコピー制御情報２として当該番組を記録する記録装置として設定されている第２のＨＤＤ７１に対応する不揮発性メモリ５９のエリアに記録される。そして上記同様、図５に示すように第２のＨＤＤ７１には暗号化された番組データと暗号化されたコピー制御情報２０が記録されることになる。
【００６９】
ここで、一つの録画単位において、コピー制御情報暗復号部５６ｃは、番組録画中のコピー制御情報１が変更になる度にコピー制御情報１を暗号化して番組を録画している第１のＨＤＤ７０上にコピー制御情報１０として更新して記録することもできる。
【００７０】
第１のＨＤＤ７０に記録される番組データに対する暗号化する鍵とコピー制御情報に対する鍵は異なっていても、同じであってもよい。
【００７１】
ここで、停電やその他の事故により番組の録画が異常終了した場合について説明する。デジタル放送記録再生装置１１が第１のＨＤＤを再認識した時点で、第１のＨＤＤに対応した不揮発性メモリ５９上のエリアに異常終了した録画番組のコピー制御情報１が存在するかどうかを判断する。デジタル放送記録再生装置１１が第１のＨＤＤ７０を再認識した時点とは、例えば、デジタル放送記録再生装置１１の電源がＯＮ状態となり、制御部５６が、第１のＨＤＤの接続を認識した時点である。
【００７２】
メモリ制御部５６ａが、第１のＨＤＤ７０に対応した不揮発性メモリ５９上のエリアにコピー制御情報１が残っていると判断した場合、メモリ制御部５６ａは、図５に示すように、第１のＨＤＤ７０上に記録された対応する録画番組のコピー制御情報１０と照合する。
【００７３】
メモリ制御部５６ａが、コピー制御情報１０が未設定であると判断した場合、不揮発性メモリ５９上のコピー制御情報１の内容を用いてコピー制御情報１０を書き換える。そして、上記同様、メモリ制御部５６ａは、第１のＨＤＤ７０に対応したエリアに記録されているコピー制御情報１を削除する。
【００７４】
次に、第２の実施例について説明する。第１の実施例と異なる点として、コピー制御情報暗復号部５６ｃは、一つの録画単位においてメモリ制御部５６ａが録画開始時に取得してまたはＲＡＭ５８に記録したコピー制御情報１を第１のＨＤＤ７０に記録する。また、メモリ制御部５６ａが番組録画中にまたはＲＡＭ５８に記録されているコピー制御情報１と異なるコピー制御情報を取得すると、コピー制御情報暗復号部５６ｃは、コピー制御情報として第１のＨＤＤ７０に新たに追加して記録する。
【００７５】
つまり、コピー制御情報１が変更になる度に、第１のＨＤＤ７０にコピー制御情報１を追加して複数記録される。コピー制御情報１は、録画時のコピー制御情報の変化位置を含めた値とすることもできる。したがって、第１のＨＤＤ７０に記録されるコピー制御情報１０は、一つの録画単位としての番組データにおいて異なるコピー制御情報を有していた場合、コピー制御情報が変化する位置を含めて経時変化するコピー制御情報を全て記録されていることとなる。番組録画中に異常終了した場合は、第１のＨＤＤ７０には、異常終了した時点までのコピー制御情報１０と番組データが記録されていることになる。
【００７６】
第１のＨＤＤ７０にコピー制御情報１０を追加記録する際に、暗号化の鍵を変更してコピー制御情報１０全体を再暗号化する。
【００７７】
このとき、コピー制御情報暗復号部５６ｃは、すでに第１のＨＤＤ７０に記録されているコピー制御情報１０に対してされた暗号化の鍵とは異なる暗号化の鍵で更新されたコピー制御情報１を暗号化して、第１のＨＤＤ７０に記録されているコピー制御情報１０全体再暗号化することもできる。第１のＨＤＤ７０に記録される番組データに対する暗号化する鍵とコピー制御情報に対する鍵は異なっていても、同じであってもよい。
【００７８】
この場合、番組の記録が途中で異常終了したとしても、異常終了した時点までのコピー制御情報１０と番組データは有効であるので、第１のＨＤＤ７０に記録した番組の内容にあったコピー制御情報の取り扱いができる。
【００７９】
停電やその他の事故により番組の録画が異常終了した場合は、上記第１の実施例と同様である。
【００８０】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００８１】
例えば、録画した番組を他の機器に移動やコピーする場合に相手の機器との間で認証を行い暗復号鍵の交換を行い、伝送路上のデータに対して暗号処理を行ってデータ転送、データ転送が終了後に移動先の機器で番組の有効化及び移動元の番組の処理（残りコピー回数の減算あるいは番組の無効化）を行うプロトコルが考えられるが、移動先でのコンテンツの有効化から移動元の番組の処理を行うまでの時間が決められ、規定時間以内に処理が終わらない場合にはコピー・移動中の処理の中断を規定しているものがある。
【００８２】
番組の移動元の処理が規定時間内に終了できない場合が生じるケースを回避するため、移動元の機器での番組の処理（残りコピー回数の減算あるいは番組の無効化）を転送開始時に行うことで正常時の規定の処理時間を満たし、番組移動やコピー時の電源断等による異常終了時の対策として、録画時と同様にコピー制御情報や暗復号鍵を不揮発性メモリに保持しておくことでコピー制御情報や暗復号鍵の修復処理を行うことも有効である。
【図面の簡単な説明】
【００８３】
【図１】この発明が適用されたデジタル放送受信記録再生システムの概要を説明するために示した図である。
【図２】図１のデジタル放送受信記録再生装置の概観を示す図である。
【図３】図１のデジタル放送受信記録再生装置の内部をさらに具体的に示す構成説明図である。
【図４】この発明の装置で使用されるリモートコントローラの概略を説明するために示した説明図である。
【図５】本発明の実施形態であるデジタル放送記録再生装置による記録装置への番組の録画を示すブロック図である。
【図６】本発明の実施形態であるデジタル放送受信記録再生装置へ記録装置を登録する場合のフローチャートである。
【図７】本発明の実施形態であるデジタル放送受信記録再生装置から登録された記録装置を削除する場合のフローチャートである。
【図８】本発明の実施形態であるデジタル放送受信記録再生装置における録画設定に基づいて、記録装置への番組録画を示したフローチャートである。
【図９】本発明の実施形態であるデジタル放送受信記録再生装置におけるコピー制御情報暗号化処理を示すブロック図である。
【符号の説明】
【００８４】
１１…デジタル放送受信記録再生装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５６ａ…メモリ制御部、５６ｂ…録画制御部、５６ｃ…コピー制御情報暗復号部、５６ｄ…鍵生成部、５６ｅ…暗号復号処理部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link（登録商標） Ｉ／Ｆ。
【要約】
【課題】情報記録装置への番組の録画中に不具合が生じた場合で合っても、コピー制御情報を修復できる。
【解決手段】録画設定された番組の放送信号を受信する受信手段と、前記受信手段で受信する前記放送信号をデジタル映像および音声の番組データに変換する処理手段と、前記受信手段で受信する前記放送信号から取得したコピー制御情報を記録する記録手段と、前記処理手段で変換された前記番組データを指定された記録装置に暗号化して記録する録画制御手段と、前記記録手段に記録されている前記コピー制御情報を暗号化して前記指定された記録装置に記録し、前記指定された記録装置に記録した後に前記記録手段に記録されていた前記コピー制御情報を削除するメモリ制御手段とを有する。
【選択図】      図５【図１】
0004292230.tif 000002
【図２】
0004292230.tif 000003
【図３】
0004292230.tif 000004
【図４】
0004292230.tif 000005
【図５】
0004292230.tif 000006
【図６】
0004292230.tif 000007
【図７】
0004292230.tif 000008
【図８】
0004292230.tif 000009
【図９】
0004292230.tif 000010